(57)【要約】【課題】利用者の利便性を高くする。【解決手段】複合機１の制御部９は、分割ファイルモードが選択されている場合、第１スキャン処理の実行後であって、第１スキャン処理の次に行われる第２スキャン処理の実行指示が入力される前に、分割指示の入力を行うためのダイアログを表示部７ａに表示させる。当該分割指示は、第１スキャン処理にて得られる画像データと第２スキャン処理にて得られる画像データとを互いに異なるファイルに変換する指示である。【選択図】図３
2013110602.tif 000002
【特許請求の範囲】
【請求項１】
原稿台に載置されている書面を読み取るスキャン処理を行うことによって当該書面の画像を示す画像データを生成する原稿載置方式の画像読取装置において、
前記スキャン処理を複数回行って生成される全ての画像データから少なくとも１以上のファイルを作成するファイル作成処理を行う分割ファイルモードが選択されている場合、第１スキャン処理の実行後であって、第１スキャン処理の次に行われる第２スキャン処理の実行指示が入力される前に、分割指示の入力を利用者に促す分割準備部と、
前記分割指示が入力されずに前記第２スキャン処理の実行指示が入力された場合、第２スキャン処理にて得られる画像データと第１スキャン処理にて得られる画像データとが同じファイルに含まれ、前記分割指示が入力されてから前記第２スキャン処理の実行指示が入力された場合、第２スキャン処理にて得られる画像データが第１スキャン処理にて得られる画像データとは異なるファイルに含まれるように、前記ファイル作成処理を行うファイル作成部とを備えることを特徴とする画像読取装置。
【請求項２】
前記分割準備部は、前記分割指示の入力を行うためのダイアログを表示部に表示させることによって前記分割指示の入力を利用者に促すようになっていることを特徴とする請求項１に記載の画像読取装置。
【請求項３】
前記分割準備部は、
前記分割ファイルモードが選択され、且つ、２ページ分の画像を１回のスキャン処理にて読み取る見開原稿モードが選択されている場合、第１分割指示および第２分割指示の入力を利用者に促すようになっており、
前記ファイル作成部は、
（ａ）前記第１分割指示が入力されてから前記第２スキャン処理の実行指示が入力された場合、第２スキャン処理にて得られる全ての画像データと第１スキャン処理にて得られる画像データとが異なるファイルに含まれ、（ｂ）前記第２分割指示が入力されてから前記第２スキャン処理の実行指示が入力された場合、第２スキャン処理にて得られる画像データのうちのページの順番が先のページの画像データと第１スキャン処理にて得られる画像データとが同じファイルに含まれ、第２スキャン処理にて得られる全ての画像データのうちのページの順番が後のページの画像データと第１スキャン処理にて得られる画像データとが互いに異なるファイルに含まれるように、前記ファイル作成処理を行うことを特徴とする請求項１または２に記載の画像読取装置。
【請求項４】
前記見開原稿モードが選択されている場合、利用者からの入力指示または前記スキャン処理にて生成される画像データに基づき、原稿台に載置されている書面が縦書書面および横書書面のいずれであるかを判定する判定部を備え、
前記ファイル作成部は、前記判定部の判定結果に基づいて、１回のスキャン処理にて読み取られる２つのページの順番の先後を決定することを特徴とする請求項３に記載の画像読取装置。
【請求項５】
原稿台に載置されている書面を読み取るスキャン処理を行うことによって当該書面の画像を示す画像データを生成する原稿載置方式の画像読取装置において、
前記原稿台に載置されている書面の方向を示す信号を出力する光学センサと、
前記スキャン処理を複数回行って生成される全ての画像データから少なくとも１以上のファイルを作成するファイル作成処理を行う分割ファイルモードが選択されている場合、前記光学センサの出力に基づいて、第１スキャン処理の対象となる書面の方向と第１スキャン処理の次に行われる第２スキャン処理の対象となる書面の方向とが一致しているか否かを判定する方向判定部と、
第１スキャン処理の対象となる書面の方向と第２スキャン処理の対象となる書面の方向とが一致していると判定される場合、第１スキャン処理にて得られる画像データと第２スキャン処理にて得られる画像データとが同じファイルに含まれ、第１スキャン処理の対象となる書面の方向と第２スキャン処理の対象となる書面の方向とが一致していないと判定される場合、第２スキャン処理にて得られる画像データが第１スキャン処理にて得られる画像データとは異なるファイルに含まれるように、前記ファイル作成処理を行うファイル作成部と、
利用者からの入力指示に応じて前記書面の画像の天地方向を設定する天地方向設定部とを備えており、
前記ファイル作成部は、前記天地方向設定部にて設定された天地方向を参照して、天地方向と基準方向とが一致していない画像データに回転処理を施して当該画像データの天地方向を基準方向に一致させた上で前記ファイル作成処理を行うことを特徴とする画像読取装置。
【請求項６】
前記ファイル作成処理によって複数のファイルが作成されると、ファイル毎に示されるボタンであり各ファイルの送信先を利用者に設定させるための第１ボタンと、前記複数のファイルの全てに共通の送信先を利用者に設定させるための第２ボタンとが示されている設定画面を表示部に表示させる表示制御部を備え、
前記表示制御部は、第１ボタンが選択された場合、選択された第１ボタンに対応するファイルのみの送信先を指定するための送信先指定画面を表示し、第２ボタンが選択された場合、前記複数のファイルの全てに共通の送信先を指定するための送信先指定画面を表示するようになっていることを特徴とする請求項１から５のいずれか１項に記載の画像読取装置。
【請求項７】
請求項１から６のいずれか１項に記載の画像読取装置を備えたことを特徴とする画像形成装置。
【請求項８】
コンピュータを、請求項１から６のいずれか１項に記載の画像読取装置の各部として機能させるプログラム。
【請求項９】
請求項８に記載のプログラムを記録したコンピュータ読み取り可能な記録媒体。
【発明の詳細な説明】
【技術分野】
【０００１】
本発明は、原稿を読み取ることによって当該原稿の画像の画像データを生成する画像読取装置、および、当該画像読取装置を備える画像形成装置に関する。
【背景技術】
【０００２】
複数ページからなる原稿を読み取って得られる原稿データ（複数ページのセットを示すデータ）を生成し、当該原稿データを複数のグループに分割する画像読取装置が従来から知られている。
【０００３】
例えば、特許文献１には、両面コピーモード時に合紙（セパレータシート）を検知した場合、合紙を検知する直前までの原稿のカウント数が奇数であると、両面トレイにある片面コピー済み記録紙を、裏面コピーを行わずに排出させ、合紙以降の原稿に対して両面コピーモードで処理を行う点が開示されている。なお、特許文献１では、合紙検知モードが選択されると、原稿が白紙であるか否かを判定し、白紙のときは合紙であると判定するようになっている。
【０００４】
また、特許文献２には、グループ毎に複数回に分割して一連の原稿を読み取らせると、前記分割の位置を合紙（セパレートシート）の挿入位置として記憶し、当該挿入位置に合紙を挿入して印刷する点が開示されている。
【先行技術文献】
【特許文献】
【０００５】
【特許文献１】特開平４−８６７５９号公報
【特許文献２】特開２００６−９１０８５号公報
【発明の概要】
【発明が解決しようとする課題】
【０００６】
画像読取装置の読み取り方式として、複数ページからなる原稿の各書面を原稿自動送り装置（ＡＤＦ）にて搬送しながら順に読み取るようになっている原稿搬送方式と、原稿台に載置されている原稿の書面を読み取るようになっている原稿載置方式とが存在する。
【０００７】
ここで、特許文献１や２に示されているように、原稿搬送方式に適用される、利便性の高い分割手法（前記原稿データを複数のグループに分割する手法）は従来から多数提案されているが、原稿載置方式に適用される、利便性の高い分割手法はあまり知られていない。しかし、原稿の書面を読み取る際に原稿載置方式を用いなければならない状況もありえるため（冊子原稿を読み取るケース、または、ジャムや重送等によって原稿搬送装置が不調なケース）、原稿載置方式についても利用者にとって利便性の高い分割手法の提案が所望されている。
【０００８】
本発明は、以上の課題に鑑みてなされたものであり、原稿載置方式にて読み取られた原稿データを分割することが可能な画像読取装置であって利用者にとって利便性の高い画像読取装置を提供することを目的とする。
【課題を解決するための手段】
【０００９】
上記の課題を解決するために、本発明は、原稿台に載置されている書面を読み取るスキャン処理を行うことによって当該書面の画像を示す画像データを生成する原稿載置方式の画像読取装置において、前記スキャン処理を複数回行って生成される全ての画像データから少なくとも１以上のファイルを作成するファイル作成処理を行う分割ファイルモードが選択されている場合、第１スキャン処理の実行後であって、第１スキャン処理の次に行われる第２スキャン処理の実行指示が入力される前に、分割指示の入力を利用者に促す分割準備部と、前記分割指示が入力されずに前記第２スキャン処理の実行指示が入力された場合、第２スキャン処理にて得られる画像データと第１スキャン処理にて得られる画像データとが同じファイルに含まれ、前記分割指示が入力されてから前記第２スキャン処理の実行指示が入力された場合、第２スキャン処理にて得られる画像データが第１スキャン処理にて得られる画像データとは異なるファイルに含まれるように、前記ファイル作成処理を行うファイル作成部とを備えることを特徴とする。
【００１０】
本願発明の構成によれば、第１スキャン処理の実行後であって第２スキャン処理の実行前に分割指示が入力されると、第２スキャン処理にて読み取られる画像データは第１スキャン処理にて読み取られる画像データから分割され、第２スキャン処理にて読み取られる画像データと第１スキャン処理にて読み取られる画像データとが別々にファイル化されるようになっている。つまり、本願発明の構成によれば、分割しようとする画像の読み取り前に当該分割に関する分割指示を入力すればよいことから、利用者にとって、分割指示のタイミングが分かり易く、利便性が高いという効果を奏する。
【００１１】
本発明の画像読取装置において、前記分割準備部は、前記分割指示の入力を行うためのダイアログを表示部に表示させることによって前記分割指示の入力を利用者に促すようになっていることが好ましい。
【００１２】
これにより、前記分割指示の入力を行うためのダイアログを表示させるため、利用者は簡易な操作で分割指示を行えるというメリットを有する。
【００１３】
また、本発明の画像読取装置において、前記分割準備部は、前記分割ファイルモードが選択され、且つ、２ページ分の画像を１回のスキャン処理にて読み取る見開原稿モードが選択されている場合、第１分割指示および第２分割指示の入力を利用者に促すようになっており、前記ファイル作成部は、（ａ）前記第１分割指示が入力されてから前記第２スキャン処理の実行指示が入力された場合、第２スキャン処理にて得られる全ての画像データと第１スキャン処理にて得られる画像データとが異なるファイルに含まれ、（ｂ）前記第２分割指示が入力されてから前記第２スキャン処理の実行指示が入力された場合、第２スキャン処理にて得られる画像データのうちのページの順番が先のページの画像データと第１スキャン処理にて得られる画像データとが同じファイルに含まれ、第２スキャン処理にて得られる全ての画像データのうちのページの順番が後のページの画像データと第１スキャン処理にて得られる画像データとが互いに異なるファイルに含まれるように、前記ファイル作成処理を行うように構成されていてもよい。また、本発明の画像読取装置は、前記構成に加え、前記見開原稿モードが選択されている場合、利用者からの入力指示または前記スキャン処理にて生成される画像データに基づき、原稿台に載置されている書面が縦書書面および横書書面のいずれであるかを判定する判定部を備え、前記ファイル作成部は、前記判定部の判定結果に基づいて、１回のスキャン処理にて読み取られる２つのページの順番の先後を決定するようになっていてもよい。
【００１４】
以上の構成によれば、見開原稿から読み取って得られるデータについても１ページ毎に分割できるため、見開原稿についても無駄なく適切に複数のファイルに分割できるという効果を奏する。
【００１５】
上記の課題を解決するために、本発明は、原稿台に載置されている書面を読み取るスキャン処理を行うことによって当該書面の画像を示す画像データを生成する原稿載置方式の画像読取装置において、前記原稿台に載置されている書面の方向を示す信号を出力する光学センサと、前記スキャン処理を複数回行って生成される全ての画像データから少なくとも１以上のファイルを作成するファイル作成処理を行う分割ファイルモードが選択されている場合、前記光学センサの出力に基づいて、第１スキャン処理の対象となる書面の方向と第１スキャン処理の次に行われる第２スキャン処理の対象となる書面の方向とが一致しているか否かを判定する方向判定部と、第１スキャン処理の対象となる書面の方向と第２スキャン処理の対象となる書面の方向とが一致していると判定される場合、第１スキャン処理にて得られる画像データと第２スキャン処理にて得られる画像データとが同じファイルに含まれ、第１スキャン処理の対象となる書面の方向と第２スキャン処理の対象となる書面の方向とが一致していないと判定される場合、第２スキャン処理にて得られる画像データが第１スキャン処理にて得られる画像データとは異なるファイルに含まれるように、前記ファイル作成処理を行うファイル作成部と、利用者からの入力指示に応じて前記書面の画像の天地方向を設定する天地方向設定部とを備えており、前記ファイル作成部は、前記天地方向設定部にて設定された天地方向を参照して、天地方向と基準方向とが一致していない画像データに回転処理を施して当該画像データの天地方向を基準方向に一致させた上で前記ファイル作成処理を行うことを特徴とする。
【００１６】
本発明の構成によれば、原稿台に載置される書面の方向（縦向き、横向き）を変化させることによって分割指示を行える。例えば、１ページから２ページまでを縦向きで載置し続け、３ページから６ページを横向きで載置した場合、２ページと３ページとの間で分割して、１ページから２ページまでの画像データと３ページから６ページまでの画像データとを互いに別のファイルに纏めることになる。このような構成によれば、利用者は、書面の向きを変えるという作業だけで分割指示を行えるため、操作パネルやタッチパネルを用いた分割指示の入力が不要であり、利用者にとって利便性が高いというメリットがある。
【００１７】
また、本発明の構成によれば、読み取られた画像データについて、天地方向と基準方向とが一致するように回転処理を施すようになっているため、原稿台に載置される書面の方向を変化させてもデータ化される画像の天地方向については揃えることができる。
【００１８】
また、本発明の画像読取装置は、前記構成に加えて、前記ファイル作成処理によって複数のファイルが作成されると、ファイル毎に示されるボタンであり各ファイルの送信先を利用者に設定させるための第１ボタンと、前記複数のファイルの全てに共通の送信先を利用者に設定させるための第２ボタンとが示されている設定画面を表示部に表示させる表示制御部を備えており、前記表示制御部は、第１ボタンが選択された場合、選択された第１ボタンに対応するファイルのみの送信先を指定するための送信先指定画面を表示し、第２ボタンが選択された場合、前記複数のファイルの全てに共通の送信先を指定するための送信先指定画面を表示する構成になっていてもよい。
【００１９】
この構成によれば、ファイル毎に送信先を指定できると共に、全てのファイルに共通の送信先を一括で指定できる。それゆえ、利用者の作業効率が向上するというメリットを有する。
【００２０】
また、本発明は、前記の画像読取装置を備えている画像形成装置であってもよい。さらに、本発明はコンピュータによって実現されてもよく、この場合には、コンピュータを前記画像読取装置の各部として機能させるプログラム、および、このプログラムを記録したコンピュータ読み取り可能な記録媒体も、本発明の範疇に入る。
【発明の効果】
【００２１】
本発明は、利用者にとって利便性の高い画像読取装置または画像形成装置を提供できるという効果を奏する。
【図面の簡単な説明】
【００２２】
【図１】１回の読取ジョブにおいて読み取られた画像データの集合である原稿データを示す図である。
【図２】原稿データを分割して得られる分割原稿データを示す図である。
【図３】本発明の実施形態の複合機に備えられるハードウェアを示したブロック図である。
【図４】読取ジョブの通常モードの処理手順を示すフローチャートである。
【図５】送信先を設定するための設定画面（アドレス帳）を示す図である。
【図６】天地方向を設定するための設定画面を示す図である。
【図７】図４のＳ７で表示されるダイアログの例を示す図である。
【図８】読取ジョブの分割モードの処理手順を示すフローチャートである。
【図９】実施の形態１の読取ジョブの最中に表示されるダイアログの例を示す図である。
【図１０】変形例１において表示されるダイアログを示す図である。
【図１１】ブックスキャンモードにて読み取られる原稿データを示す図である。
【図１２】ブックスキャンモードにて読み取られる原稿データを分割して得られる分割原稿データを示す図である。
【図１３】ブックスキャンモードの設定画面を示す図である。
【図１４】左綴じのブックスキャンモードの指示入力が行われた際のブックスキャンモードの設定画面を示す図である。
【図１５】（ａ）は左綴じの原稿を示す図であり、（ｂ）は右綴じの原稿を示す図である。
【図１６】（ａ）は、同時に読み取られた２つのページの間が分割位置として指定されている状況を示した図である。（ｂ）は、同時に読み取られた２つのページのうちのページ番号が若い方のページと、その前のページとの間が分割位置として指定されている状況を示す図である。
【図１７】実施の形態２の読取ジョブの最中に表示されるダイアログの例を示す図である。
【図１８】入力画像データの画像に示される文字の外接矩形を示す説明図である。
【図１９】実施の形態３においての分割位置の指定手法を説明するための図である。
【図２０】天地方向を設定するための設定画面であり、実施の形態３にて用いられる設定画面を示す図である。
【図２１】図３に示す画像処理装置の具体例を示したブロック図である。
【図２２】参考例１における処理の流れを示すフローチャートである。
【図２３】参考例３のセパレータシートを示す図である。
【図２４】参考例４のセパレータシートを示す図である。
【図２５】（ａ）は、図２４のセパレータシートの中央部に記されている情報を示す図である。（ｂ）は、図２４のセパレータシートの中央部に記されている情報であり、（ａ）とは異なる情報を示す図である。
【図２６】参考例２にて表示されるプレビューを示す図である。
【図２７】分割原稿データの送信先を設定するためのダイアログを示す図面である。
【図２８】送信先指定シートの例を示す図面である。
【発明を実施するための形態】
【００２３】
[実施の形態１]
（実施の形態１の概要）
最初に、本発明の実施の形態にて行われる分割処理の概要を説明する。なお、本発明の実施形態では、原稿載置方式にて読み取り可能な画像入力装置（スキャナ）を備えた複合機が用いられる。原稿載置方式とは、原稿台に載置されている原稿の書面、または、冊子原稿の開かれている書面を読み取る方式である。したがって、本発明の実施形態において、複数ページからなる原稿を読み取らせる読取ジョブとは、原稿の書面を読み取らせる処理を、当該原稿の全ての書面について繰り返し行う処理を意味する。
【００２４】
前記の読取ジョブが実行されていくと、図１に示すように、各ページの画像データが順次記憶されていき、読み取られた全ページについて画像データが記憶されることになる。以下では、１回の読取ジョブにおいて読み取られた全てのページの画像データを原稿データと称する。例えば、３ページからなる原稿においては、１ページ目の画像の画像データと２ページ目の画像の画像データと３ページ目の画像の画像データとのセットが原稿データになる。
【００２５】
本発明の実施形態では、以上のようにして得られる原稿データにおいて、利用者の操作によって分割位置が指定される。なお、分割位置は、図２に示すように、原稿データにおいて、あるページと、このページの次のページとの間に設定される。
【００２６】
図２に示すように分割位置が指定されると、分割位置に基づいて原稿データが複数のグループに分割される。具体的には、分割位置を境界として、境界よりも前のページからなるグループと前記境界よりも後のページからなるグループとに分割し、分割位置の数に１を加算した数だけのグループが生成されることになる。例えば、１０ページからなる原稿データにおいて、３ページと４ページとの間に分割位置が指定され、７ページと８ページとの間に分割位置が指定された場合、１〜３ページからなるグループと、３〜７ページからなるグループと、７〜１０ページからなるグループとに分割される。なお、以下では、分割された各グループを分割原稿データと称する。
【００２７】
そして、本実施形態の複合機では、分割原稿データ毎に、各分割原稿データを所定の形式のファイルに変換するようになっている。つまり、分割原稿データａと分割原稿データｂとが生成された場合、分割原稿データａから例えばＰＤＦファイルａが生成され、分割原稿データｂからＰＤＦファイルｂが生成されるようになっていてもよい。なお、このようにして複数のファイルが生成されると、複数のファイルを一括して同じアドレスに送信するようになっていてもよいし、ファイル毎に別々のアドレスを指定して送信するようになっていてもよい。
【００２８】
（実施の形態１の詳細）
以下、本発明の一実施形態を図に基づいて説明する。図３は、本実施形態の複合機（画像読取装置，画像形成装置）を示したブロック図である。同図に示されるように、複合機（デジタル複合機）１は、画像入力装置３と、画像処理装置４と、画像出力装置５と、通信部６と、操作部７と、記憶部８と、制御部９とを備えており、これらハードウェアはバスＮによって接続されている。また、操作部７は表示部７ａを備えている。
【００２９】
画像入力装置３は、原稿の書面の画像を光学的に読み取って画像データを生成するスキャナである。画像入力装置３は、読み取り対象の書面に光を照射する光源と、例えばＣＣＤ（Charge Coupled Device）のようなイメージセンサとを有する。本実施形態の画像入力装置３は所謂原稿載置方式によって原稿を読み取る機能を有している。つまり、本実施形態の画像入力装置３は、図示しない原稿台（原稿載置台）に載置された原稿の書面からの反射光像を前記イメージセンサに結像させ、ＲＧＢ（R : Red, G : Green, B : Blue）のアナログ画像データを出力するようになっている。画像入力装置３が出力した画像データは画像処理装置４に入力される。
【００３０】
画像処理装置４は、画像処理を施す集積回路であり、ＡＳＩＣ（Application specific integrated circuit）から構成されるものである。画像処理装置４は、画像入力装置３にて生成された画像データに対して、Ａ／Ｄ変換およびシェーディング補正等の画像処理を施した上で当該画像データを記憶部８に保存するようになっている。
【００３１】
また、画像処理装置４は、複合機１に印刷指示が入力されると、記憶部８に保存されている印刷対象の画像データを入力し、当該画像データに対して、印刷に必要な画像処理を施し、当該画像データを画像出力装置５に送るようになっている。
【００３２】
画像出力装置５は、印刷指示が入力されると、画像処理装置４から出力されるＣＭＹＫデータの画像データに基づく画像をシート（記録紙、ＯＨＰフィルム等）に印刷する。画像出力装置５は、感光体ドラム、該感光体ドラムを所定の電位に帯電させる帯電器、画像データに応じてレーザ光を発して感光体ドラム上に静電潜像を生成させるレーザ書込装置、感光体ドラムに形成された静電潜像にトナーを供給して現像化する現像器、感光体ドラムに形成されたトナー像をシートに転写する転写器とを備えており、電子写真方式にて画像をシート上に形成する。
【００３３】
通信部６は、画像データを外部に送信するネットワークカード、モデム等を備えている。通信部６は、送信指示が入力されると、記憶部８に保存されている送信対象の画像データを入力し、当該画像データが添付されたメールを指定のアドレスへ送信する処理を行う。また、通信部６は、外部から画像データを受信することも可能であり、受信した画像データを記憶部８へ保存する。
【００３４】
操作部７は、ユーザが各種指示（コマンド）を入力し、各種設定を行うための操作盤（操作パネル）である。操作部７には、入力および設定のための操作ボタン群（不図示）と表示部７ａとが備えられている。例えば、「ファックス」、「複写」、「印刷」、「メール」等の機能を切り替える機能ボタン、テンキー、受け付けた指示を確定するためのエンターキー、画像入力装置３にて読み取った原稿の画像データに基づく画像をシート上に画像形成するための「出力」又は「コピー」キー等を備えている。
【００３５】
表示部７ａは、カラー画像の表示が可能な小型の液晶ディスプレイである。また、表示部７ａには、タッチパネルが取り付けられており、入力インターフェイスとしての機能も有している。つまり、表示部７ａには、複合機１に対して各種コマンドの入力を行うためのＧＵＩ（グラフィカルユーザインターフェイス）、ダイアログ、操作ガイドが表示される。
【００３６】
記憶部８は、不揮発性の半導体メモリまたはハードディスクであり、複合機１の動作に必要な各種情報が記憶される。また、記憶部８は、画像入力装置３によって読み取られた画像データ、外部から受信した画像データ、利用者から入力された各種情報を記憶するようになっている。
【００３７】
制御部９は、ＣＰＵ、ＲＯＭおよびＲＡＭ（図示せず）からなるコンピュータである。ＲＯＭには各種の制御プログラムが予め格納されており、ＲＡＭは、ＲＯＭから読み出されたプログラム、該プログラムを実行することにより発生するデータ、外部から受信したデータ、処理中のデータ等を一時的に記憶する。ＣＰＵは、ＲＯＭに予め格納されている制御プログラムをＲＡＭ上にロードして実行することによって複合機１に備えられている各ハードウェアの制御を行い、各種情報処理を行うものである。以下では、制御部９によって実行される処理の詳細を説明する。
【００３８】
制御部９は、画像入力装置３を制御して読取ジョブを実行し、当該読取ジョブにて得られた原稿データ（または分割原稿データ）をファイルに変換して記憶部８に記憶する処理を行う。その後、制御部９は、通信部６を制御して、前記のようにして得られたファイルを利用者に指定されたアドレスへ送信する送信ジョブを実行するようになっている。
【００３９】
ここで、前記の読取ジョブとは、原稿載置方式によって原稿に含まれる複数の書面を読み取らせるジョブであり、当該書面を読み取らせる処理を前記複数の書面の全てについて繰り返し行う処理を意味する。
【００４０】
また、本実施形態の読取ジョブには、通常モードと分割モードとがあり、いずれかのモードを利用者が選択し、選択されたモードが実行されるようになっている。あるいは、デフォルトとして通常モードが設定されており、操作パネルより分割モードを選択するようにしても良い。通常モードとは、図１に示すように、複数の書面を順に読み取って得られる原稿データを単一のファイルに変換するモードである。分割モードとは、図２に示すように、複数の書面を順に読み取って得られる原稿データを複数の分割原稿データ（グループ）に分割し、分割原稿データ毎に分割原稿データを画像ファイルに変換するモードである。
【００４１】
以下では、最初に通常モードの処理内容を詳細に説明し、その後に前記の分割モードの処理内容を詳細に説明する。
【００４２】
（通常モードについて）
図４は読取ジョブの通常モードの処理手順を示すフローチャートである。以下では、図４に基づいて通常モードを説明する。利用者が、操作部７を操作することにより、読取ジョブの実行指示を複合機１へ入力し、且つ、通常モードへの移行指示を複合機１へ入力すると、図４の処理が開始されるようになっている。
【００４３】
通常モードへ移行すると、制御部９は、送信モードの設定画面（不図示）を表示し、利用者から送信モードの指示入力を受け付けると、指示された送信モードの設定を行う（図４のＳ１）。なお、送信モードとは、ＦＴＰ送信、電子メール、インターネットファックス等の送信方式を意味する。
【００４４】
Ｓ１の後、制御部９は、送信先アドレスの設定画面（アドレス帳）を表示部７ａに表示し、利用者からアドレスの指示入力を受け付けると、利用者に指示されたアドレスを、送信先アドレスとして設定する（Ｓ２）。ここでアドレス帳の例を図５に示す。図５は、アドレス帳に設定されているカテゴリのうちの「得意先」に登録されているアドレスが表示されており、２つのアドレスが指定されている例を示している。
【００４５】
Ｓ２の後、制御部９は、天地方向の設定画面を表示部７ａに表示し、利用者から方向の指示入力を受け付けると、利用者に指示された方向を、原稿の書面の天地方向として設定（解釈）する（Ｓ３）。ここで天地方向の設定画面を図６に示す。図６に示す例では、原稿の天地方向と原稿台の手前側から奥側へ向かう方向とが一致するように天地方向が設定されている状況を示している。
【００４６】
Ｓ１〜Ｓ３にて示す設定処理を完了すると、制御部９は、原稿台に原稿を載置（セット）する事とスタートボタンを押す事（読込み指示を入力する事）とを促すメッセージを示したダイアログを表示部７ａに表示する。そして、利用者が、原稿のうちの１枚の書面を原稿台に載置して（Ｓ４）、スタートボタンを押すと（Ｓ５）、制御部９は、読込み指示の入力を認識し、画像入力装置３に読み取り処理（スキャン動作）を行わせる（Ｓ６）。
【００４７】
Ｓ６の後、制御部９は、次の書面を原稿台にセットする事とスタートボタンを押す事（読込み指示を入力する事）とを促すメッセージを示したダイアログを表示部７ａに表示する（Ｓ７）。Ｓ７にて表示されるダイアログを図７に示す。ここで、Ｓ７にて表示されるダイアログには、図７に示すように、前記のメッセージが示されているだけではなく、読込終了ボタンが表示される。読込終了ボタンは、読取ジョブの終了指示を利用者が入力するためのボタンである。
【００４８】
利用者が、図７の読込終了ボタンを押さずに（Ｓ８にてＮＯ）、次に読み取らせる必要のある書面を原稿台にセットして（Ｓ４）、スタートボタンを押すと（Ｓ５）、読み取り処理が再度行われて（Ｓ６）、再度Ｓ７の状態に戻る。つまり、利用者は、原稿台に書面をセットしてスキャンボタンを押す動作を、読み取らせる書面の枚数分繰り返す。
【００４９】
これに対し、図７に示す読込終了ボタンが押されると（Ｓ８にてＹＥＳ）、制御部９は読取ジョブを終了する。つまり、利用者は、原稿のうち読み取り対象とされる全ての書面について読み込みを完了すると、図７に示す読込終了ボタンを押すことにより読取ジョブを終了する。
【００５０】
その後、制御部９は、読取ジョブにて得られた原稿データを、予め利用者に指定されているファイル形式のファイルに変換し、当該ファイルを一旦記憶部８に保存する。そして、制御部９は、Ｓ２にて指定された送信先アドレスに、Ｓ１にて指定された送信モードにて前記ファイルを送信するようになっている。
【００５１】
なお、制御部９は、画像入力装置３から読み取られた画像データに示されるページの天地方向を判定し、判定された天地方向と図４のＳ３にて設定された天地方向とが一致しない場合、画像データに示されるページの天地方向とＳ３にて設定された天地方向とが一致するように前記画像データに対して回転処理を行うようになっていてもよい。なお、天地方向の判定は周知の技術によって実現可能である。例えば、画像データに示されるページの天地方向の判定は、特許第４５７２２４８号公報の[００２７][００２８]に記載の手法によって実現可能である。
【００５２】
（分割モードについて）
次に読取ジョブの分割モードの処理内容を詳細に説明する。図８は読取ジョブの分割モードの処理手順を示すフローチャートである。なお、図８のフローチャートにおいて、図４のフローチャートと同じ処理内容を示すステップについては、図４のステップ番号と同じ番号を付し、その説明を省略する。
【００５３】
利用者が、操作部７を操作することにより、読取ジョブの実行指示を複合機１へ入力し、且つ、分割モードへの移行指示を複合機１へ入力すると、図８の処理が開始されるようになっている。
【００５４】
図８に示すように、分割モードに移行すると、通常モードと同様、最初にＳ１〜Ｓ４の処理が行われる。そして、利用者によってスタートボタンが押されると（Ｓ５）、制御部９は、読み取り対象の書面が１ページ目を含むか否かを判定する（Ｓ１１）。ここで、制御部９は、分割モードへの移行後にスタートボタンが押された回数が１回である場合、読み取り対象の書面が１ページ目であると判定し、分割モードへの移行後にスタートボタンが押された回数が１回を超える場合、読み取り対象の書面が１ページ目でないと判定する。
【００５５】
Ｓ１１において読み取り対象の書面が１ページ目を含むと判定された場合（Ｓ１１にてＹＥＳ）、制御部９は、画像入力装置３に読み取り処理（スキャン動作）を行わせる（Ｓ１２）。
【００５６】
Ｓ１２の後、制御部９は、原稿の次の書面を原稿台にセットする事とスタートボタンを押す事（読込み指示を入力する事）とを促すメッセージを示したダイアログを表示部７ａに表示する（Ｓ１３）。Ｓ１３にて表示されるダイアログを図９に示す。
【００５７】
ここで、Ｓ１３にて表示されるダイアログには、図９に示すように、前記のメッセージが示されているだけではなく、読込終了ボタンと分割指示ボタンＡと分割不要ボタンＢとが表示される。
【００５８】
図９における読込終了ボタンは、図７に示す読込終了ボタンと同様、読取ジョブの終了指示を利用者が入力するためのボタンである。
図９における分割指示ボタンＡは、原稿データにおける分割位置を指定するためのボタンである。つまり、利用者が分割指示ボタンＡを押すと、押す直前のＳ１２にて読み取られたページと、押した直後のＳ１２にて読み取られるページとの間が分割位置として利用者に指定されることになる。
図９における分割不要ボタンＢは分割不要であることを指示するためのボタンである。分割不要ボタンＢが選択されている状態でスタートボタンが押されると、制御部９は、当該スタートボタンが押されることによって読み取られるページと、当該ページの直前のページとの間を分割位置として扱わない。
なお、図９の画面が表示されると、分割不要ボタンＢがデフォルトで選択されている。そして、利用者が分割指示ボタンＡを選択すると、分割不要ボタンＢが非選択になり、利用者が分割不要ボタンＢを押すことによって当該分割不要ボタンＢが選択されると、分割指示ボタンＡが非選択になる。なお、図９は、分割指示ボタンＡが選択されている状況を示している。
【００５９】
そして、図９のダイアログが表示されている時に、利用者が、読込終了ボタンを選択せずに（Ｓ１４にてＮＯ）、次に読み取らせる必要のある書面を原稿台にセットして（Ｓ４）、スタートボタンを押すと（Ｓ５）、Ｓ１１の処理が再度行われる。
【００６０】
ここでは、分割モードへの移行後のスタートボタンが押された回数が２回であるため、制御部９は、Ｓ１１において読み取り対象の書面が１ページ目を含まないと判定し、処理をＳ１５に移行させる。
【００６１】
そして、Ｓ１５において制御部９は分割指示の有無を判定する。具体的に、制御部９は、現時点から直前のＳ５においてスタートボタンが押された際に分割指示ボタンＡが選択されていた場合、分割指示有と判定し、現時点から直前のＳ５においてスタートボタンが押された際に分割不要ボタンＢが選択されていた場合、分割指示無と判定する。
【００６２】
制御部９は、分割指示無と判定した場合（Ｓ１５においてＮＯ）、読み取り処理を画像入力装置３に再度行わせて（Ｓ１２）、再度Ｓ１３の状態に戻る。これに対し、制御部９は、分割指示有と判定した場合（Ｓ１５においてＹＥＳ）、当該判定の直前のＳ１２にて読み取られたページと、当該判定の直後のＳ１２にて読み取られるページとの間を分割位置として認識し、この分割位置を記憶部８に記憶させる（Ｓ１６）。Ｓ１６の後、制御部９は、Ｓ１２に移行して画像入力装置３に読み取り処理を再度行わせる。
【００６３】
そして、制御部９は、記憶部８に記憶されている分割位置に基づいて、今回のＳ１２にて読み取られた画像データを、前回までに読み取られた画像データから分割して記憶部８に記憶させる。つまり、今回のＳ１２にて読み取られた画像データは、前回のＳ１２までに読み取られて得られた分割原稿データとは別の分割原稿データとして扱われる（図２を参照）。
【００６４】
そして、利用者は、原稿台に書面をセットしてスキャンボタンを押す動作を、読み取らせる書面の枚数分繰り返し、必要に応じて分割指示ボタンＡを押すことによって分割指示を行う。
【００６５】
その後、図９に示す読込終了ボタンが押されると（Ｓ１４にてＹＥＳ）、制御部９は読取ジョブを終了する。つまり、利用者は、原稿の全ての書面について読み込みを完了すると、図９に示す読込終了ボタンを押すことにより読取ジョブを終了する。
【００６６】
読取ジョブの終了後、制御部９は、分割原稿データ毎に、各分割原稿データを予め利用者に指定されているファイル形式のファイルに変換する。制御部９は、このようにして得られた全てのファイルを一旦記憶部８に保存する。そして、制御部９は、Ｓ２にて指定された送信先アドレスに、Ｓ１にて指定された送信モードにて前記の全てのファイルを送信するようになっている。
【００６７】
以上示したように、本実施形態の複合機１は、原稿台に載置されている書面を読み取るスキャン処理を行うことによって当該書面の画像を示す画像データを生成する原稿載置方式の画像入力装置３を備えている。そして、複合機１の制御部９は、前記スキャン処理を複数回行って生成される全ての画像データから少なくとも１以上のファイルを作成するファイル作成処理を行うことになる分割モード（分割ファイルモード）が選択されている場合、第１スキャン処理の実行後であって、第１スキャン処理の次に行われる第２スキャン処理の実行指示が入力される前に、分割指示の入力を行うためのダイアログ（図９）を表示部７ａに表示させることによって、分割指示の入力を利用者に促す分割準備部として機能する。そして、制御部９は、前記分割指示が入力されずに前記第２スキャン処理の実行指示が入力された場合、第２スキャン処理にて得られる画像データと第１スキャン処理にて得られる画像データとが同じファイルに含まれ、前記分割指示が入力されてから前記第２スキャン処理の実行指示が入力された場合、第２スキャン処理にて得られる画像データが第１スキャン処理にて得られる画像データとは異なるファイルに含まれるように、前記ファイル作成処理を行うファイル作成部として機能する。
【００６８】
このような構成によれば、第１スキャン処理の実行後であって第２スキャン処理の実行前に分割指示が入力されると、第２スキャン処理にて読み取られる画像データは第１スキャン処理にて読み取られる画像データから分割され、第２スキャン処理にて読み取られる画像データと第１スキャン処理にて読み取られる画像データとが別々にファイル化されるようになっている。つまり、分割しようとする画像の読み取り前に当該分割に関する分割指示を入力すればよいことから、利用者にとって、分割指示のタイミングが分かり易く、利便性が高いという効果を奏する。
【００６９】
（変形例１）
以上にて述べた実施形態では、全ての分割原稿データ（ファイル）の送信先アドレスが共通に設定されているが、分割原稿データ毎に異なる送信先アドレスを設定できるような形態であってもよい。以下では当該形態について説明する。なお、以下の説明では、以上にて述べた実施形態と共通する点については説明を省略し、異なる点のみを説明する。
【００７０】
本変形例の分割モードでは、図８のＳ１３において、図９に示すダイアログではなく、図１０に示すダイアログが表示されるようになっている。図１０に示すダイアログの宛先変更ボタンＧは、送信先アドレスを指定するためのボタンとして機能すると共に、以上にて述べた実施形態の分割指示ボタンＡと同じ機能を有するものである。
【００７１】
つまり、利用者が宛先変更ボタンＧを押すと、押す直前のＳ１２にて読み取られたページと、押した直後のＳ１２にて読み取られるページとの間が分割位置として利用者に指定されることになる。なお、図１０のダイアログが表示されると、宛先変更ボタンＧは非選択状態にて初期設定されている。そして、利用者が宛先変更ボタンＧを押すと、宛先変更ボタンＧが選択されている状態になる。
【００７２】
また、利用者が宛先変更ボタンＧを押すことで宛先変更ボタンＧが選択状態になると、制御部９は、図５に示すアドレス帳を表示し、利用者に送信先アドレスの設定を促す。ここで設定される送信先アドレスは、宛先設定ボタンＧが選択された直後に読み取って得られる分割原稿データの送信先とされる。
【００７３】
そして、Ｓ１５において、制御部９は、現時点から直前のＳ５においてスタートボタンが押された際に宛先設定ボタンＧが選択されていた場合、分割指示有と判定し、現時点から直前のＳ５においてスタートボタンが押された際に宛先設定ボタンＧが選択されていなかった場合、分割指示無と判定する。
【００７４】
以上の構成によれば、ページ番号が最も少ない側の分割原稿データの送信先はＳ２にて設定され、それ以外の分割原稿データの送信先については分割原稿データ毎に設定されることになる。
【００７５】
そして、読取ジョブの終了後、制御部９は、分割原稿データ毎に、各分割原稿データを予め利用者に指定されているファイル形式のファイルに変換する。制御部９は、このようにして得られた全ての画像ファイルを一旦記憶部８に保存する。さらに、制御部９は、各ファイルを、各々に対して設定されている送信先アドレスに送信するようになっている。
【００７６】
（変形例２）
読取ジョブの終了後、制御部９は、図２７に示すように、分割原稿データ毎に各分割原稿データの送信先アドレスを指定するための個別指示ボタン９０と、全ての分割原稿データに共通する送信先アドレスを指定するための共通指示ボタン９５とを示した設定画面を表示部７ａに表示するようになっていてもよい。以下、本変形例を詳細に説明する。なお、以下の説明では、以上にて述べた実施形態と共通する点については説明を省略し、異なる点のみを説明する。
【００７７】
利用者が、操作部７を操作することにより、読取ジョブの実行指示を複合機１へ入力し、且つ、分割モードへの移行指示を複合機１へ入力すると、図８の処理が開始されるようになっている。但し、本変形例ではＳ２は行われずにスキップされる。
【００７８】
そして、読み込み終了ボタンが押されて読取ジョブが終了すると（Ｓ１４にてＹＥＳ）、制御部９は、図２７に示す設定画面を表示部７ａに表示させる。
【００７９】
図２７に示す設定画面においては、各分割原稿データに対応する「ジョブｎ」（ｎは各分割原稿データの番号）と表示された個別指示ボタン９０が表示されている。ここで、利用者が、ある分割原稿データに対応する個別指示ボタン９０を押すと、図５に示すアドレス帳が表示され、このアドレス帳を用いてアドレスを指定すれば、指定されたアドレスは、押された個別指示ボタン９０に対応する分割原稿データの送信先として設定される。
【００８０】
また、「全てのジョブ」と表示された共通指示ボタン９５を押すと、図５に示すアドレス帳が表示され、このアドレス帳を用いてアドレスを指定すれば、指定されたアドレスは全部の分割原稿データに共通の送信先として設定される。
【００８１】
以上の変形例によれば、各原稿データを送信したい宛先に送信すると共に、全原稿データを控えとして利用者のアドレスに送信したいような場合、アドレス設定を簡略化できるというメリットがある。
【００８２】
以上示した変形例２において、制御部９は、分割モードによって複数のファイルが作成されると、ファイル毎に示されるボタンであり各ファイルの送信先を利用者に設定させるための個別指示ボタン（第１ボタン）９０と、前記複数のファイルの全てに共通の送信先を利用者に設定させるための共通指示ボタン（第２ボタン）９５とが示されている設定画面を表示部７ａに表示させる表示制御部として機能する。そして、制御部９は、個別指示ボタン９０が利用者に選択された場合、選択された個別指示ボタン９０に対応するファイルのみの送信先を指定するためのアドレス帳（送信先指定画面）を表示部７ａに表示し、共通指示ボタン９５が利用者に選択された場合、前記複数のファイルの全てに共通の送信先を指定するためのアドレス帳（送信先指定画面）を表示部７ａに表示するようになっている。このような構成によれば、ファイル毎に送信先を指定できると共に、全てのファイルに共通の送信先を一括で指定できる。それゆえ、利用者の作業効率が向上するというメリットを有する。
【００８３】
（変形例３）
また、宛先指定を行うためのチェックボックスを明示する送信先指定シートを読み取らせることで、各分割原稿データの宛先指定が行われてもよい。
【００８４】
例えば、利用者が送信先指定シートの印刷指示を複合機１に入力すると、複合機１は、図２８に示すような、宛先とチェックボックスとが対応付けられた送信先指定シートを印刷するようになっている。ここで、図２８に示すように、送信先指定シートには、各宛先に対して、各分割原稿データに対応するチェックボックスが示されている。具体的に、左側欄のチェックボックス６５は第１分割原稿データに対応するものであり、中央欄のチェックボックス６６は第２分割原稿データに対応するものであり、右側欄のチェックボックス６７は第３分割原稿データに対応するものである。
【００８５】
そして、利用者は、送信先として指定する宛先に対応するチェックボックスを塗り潰す作業を行う。
【００８６】
また、複合機１は、送信先指定シートの印刷処理時に、各チェックボックスの位置と、分割原稿データと、宛先との関係を記憶しておく。これにより、複合機１は、宛先シートが画像入力装置３にて読み取られた際、得られた宛先シートの画像データに基づき、塗り潰されているチェックボックスの位置を検出し、検出したチェックボックスの位置に対応する分割原稿データおよび宛先を判別し、各分割データに対して利用者に指定された宛先を認識するようになっている。
【００８７】
つぎに、図２８に示す送信先指定シートを用いる場合の処理の流れを説明する。利用者が、操作部７を操作することにより、読取ジョブの実行指示を複合機１へ入力し、且つ、分割モードへの移行指示を複合機１へ入力すると、図８の処理が開始されるようになっている。但し、本変形例ではＳ２は行われずにスキップされる。そして、利用者は、最初に宛先シートを複合機１にスキャンさせ、その後に原稿の各書面を複合機１にスキャンさせるようになっている。そして、全書面の読み取りを終えると、利用者は読み込み終了ボタンを押して読取ジョブを終了する（Ｓ１４にてＹＥＳ）。
【００８８】
なお、図２８は、分割原稿データが３つであることを前提とした宛先シートであるが、勿論、分割原稿データが３つ以上の宛先シートを複合機１は印刷することができる。また、送信前にプレビューで分割原稿データと宛先との関係を利用者に提示し、誤りが無いことを確認した上で送信するようになっていることが好ましい。
【００８９】
なお、以上の実施形態では複合機を例にして説明したが、本実施形態は画像読取装置（スキャナ）であってもよい。なお、画像読取装置の場合、図３の各ハードウェアのうち、画像出力装置５以外のハードウェアが画像読取装置に備えられていることとなる。つまり、複合機（画像形成装置）１は、画像読取装置と画像出力装置とを備えているといえる。
【００９０】
[実施の形態２]
（実施の形態２の概要）
以上にて説明した読取ジョブの一形態として、冊子（綴本）からなる原稿を読み取るブックスキャンモード（分離モード）が知られている。ブックスキャンモードが利用者に選択されて実行されると、制御部９は、図１１に示すように、原稿台にて見開き状態で載置されている冊子原稿の書面を読み取って得られた２ページ分の画像データを、ページ毎の画像データに分離するようになっている。
【００９１】
実施の形態２は、ブックスキャンモードに分割モードを適用したものである。つまり、ブックスキャンモードにより読み込まれて得られた原稿データについても、分割モードを選択して分割位置を指定すると、図１２のように、分割位置に基づいて複数のグループに分割され、分割原稿データが生成されることになる。
【００９２】
（実施の形態２の詳細説明）
利用者が、操作部７を操作して、右綴じ（縦書き）のブックスキャンモード、および、左綴じ（横書き）のブックスキャンモードのいずれかを選択すると、制御部９は、選択されたモードの実行指示を検知するようになっている。
【００９３】
具体的に、制御部９は、利用者からの指示入力に応じて、図１３に示すブックスキャンモードの設定画面を表示部７ａに表示させるようになっている。図１３は、ブックスキャンモードが選択される前のブックスキャンモードの設定画面を示したものである。
【００９４】
利用者が、ブックスキャンモードの設定画面のうち、左綴じボタンを選択した上でＯＫボタンを選択すると、制御部９は、左綴じのブックスキャンモードの指示入力を検知し、当該モードへ移行する。また、利用者が、ブックスキャンモードの設定画面のうち、右綴じボタンを選択した上でＯＫボタンを選択すると、制御部９は、右綴じのブックスキャンモードの指示入力を検知し、当該モードへ移行する。なお、図１４は、左綴じのブックスキャンモードの指示入力が行われた際のブックスキャンモードの設定画面を示したものである。
【００９５】
そして、左綴じのブックスキャンモードが選択された場合、制御部９は、図１５（ａ）に示すように、同時に読み取られた２つのページのうち、右側のページのページ番号よりも左側のページのページ番号を小さく認識する。これに対し、右綴じのブックスキャンモードが選択された場合、制御部９は、図１５（ｂ）に示すように、同時に読み取られた２つのページのうち、左側のページのページ番号よりも右側のページのページ番号を小さく認識する。制御部９は、以上のようにしてページ番号を認識した上で、図１１に示すように、読み取られた全てのページの画像データを原稿データとして保存する。なお、図１１の例は、左綴じのブックスキャンモードの場合を例示したものである。
【００９６】
つぎに、本実施形態での分割モードの処理の流れを説明する。本実施形態についても図８のフローチャートを用いて説明可能であるため、以下では図８を参照して説明する。
【００９７】
利用者が、操作部７を操作することにより、ブックスキャンモードの指示入力を行い、且つ、分割モードへの移行指示を入力すると、図８の処理が開始されるようになっている。
【００９８】
図８に示すＳ１〜Ｓ５、Ｓ１１，Ｓ１２，Ｓ１４〜Ｓ１６については、実施の形態１と同じであるため、その説明を省略する。本実施形態では、Ｓ１５にて表示されるダイアログが実施の形態１のものと異なるため、以下ではＳ１５について詳細に説明する。
【００９９】
Ｓ１２の後、制御部９は、原稿の次の書面を原稿台にセットする事とスタートボタンを押す事（読込み指示を入力する事）とを促すメッセージが示されたダイアログを表示部７ａに表示する（Ｓ１３）。実施の形態２のＳ１３にて表示されるダイアログを図１７に示す。
【０１００】
ここで、図１７に示すダイアログには、前記のメッセージが示されているだけではなく、読込終了ボタンと、第１分割ボタンＤと第２分割ボタンＣと分割不要ボタンＥとが表示される。
【０１０１】
図１７における読込終了ボタンは、実施の形態１と同様、ブックスキャンモードの終了指示を利用者が入力するためのボタンである。
【０１０２】
図１７における第２分割ボタンＣは、原稿データにおける分割位置を指定するためのボタンであり、「１頁を分割」というメッセージが示されている。第２分割ボタンＣは、第２分割ボタンＣを選択した上でスタートボタンを押した直後に同時に読み取られる２つのページの間を分割位置として指示するためのボタンである。すなわち、同時に読み取られる２つのページのうち、１ページのみ（ページ番号の大きな方のページ）を分割するボタンである。つまり、利用者が第２分割ボタンＣを押した上でスタートボタンを押すと、このスタートボタンの押下によって読み取られる２つのページの間が分割位置として利用者に指定されることになる。例えば、第２分割ボタンＣを押した上でスタートボタンを押して３ページ目と４ページ目とが読み取られた場合、図１６（ａ）に示すように３ページ目と４ページ目との間が分割位置として指定される。
【０１０３】
図１７における第１分割ボタンＤは、原稿データにおける分割位置を指定するためのボタンであり、「２頁を分割」というメッセージが示されている。第１分割ボタンＤは、第１分割ボタンＤを選択する前までに読み取られたページと、第１分割ボタンＤを選択した上でスタートボタンを押すことで読み取られたページとの間を分割位置として指示するためのボタンである。つまり、第１分割ボタンＤは、同時に読み取られる２つのページのうち、１番目のページ（ページ番号の若い方のページ）の直前を分割位置として指定するためのボタンである。すなわち、利用者が第１分割ボタンＤを押すと、押した直後に読み取られた２つのページとその前に読み取られたページとの間が分割位置として利用者に指定されることになる。例えば、第１分割ボタンＤを押した上でスタートボタンを押して５ページ目と６ページ目とが読み取られた場合、図１６（ｂ）に示すように４ページ目と５ページ目との間が分割位置として指定される。
【０１０４】
そして、利用者は、原稿台に書面をセットしてスキャンボタンを押す動作を、読み取らせる書面の枚数分繰り返し、必要に応じて第２分割ボタンＣおよび第１分割ボタンＤを押すことによって分割指示を行う。
【０１０５】
その後、図１７に示す読込終了ボタンが押されると（Ｓ１４にてＹＥＳ）、制御部９は読取ジョブを終了する。つまり、利用者は、原稿の全ての書面について読み込みを完了すると、図１７に示す読込終了ボタンを押すことにより読取ジョブを終了する。
【０１０６】
読取ジョブの終了後、制御部９は、分割原稿データ毎に、各分割原稿データを予め利用者に指定されているファイル形式の画像ファイルに変換する。制御部９は、このようにして得られた全ての画像ファイルを一旦記憶部８に保存する。そして、制御部９は、Ｓ２にて指定された送信先アドレスに、Ｓ１にて指定された送信モードにて前記の全ての画像ファイルを送信するようになっている。
【０１０７】
以上示したように、実施の形態２の制御部９は、２ページ分の画像を１回のスキャン処理にて読み取るブックスキャンモード（見開原稿モード）が選択されている場合、利用者からの入力指示に基づき、原稿台に載置されている書面が縦書書面および横書書面のいずれであるかを判定する判定部として機能するようになっている。また、制御部９は、前記の判定の結果に基づいて、１回のスキャン処理にて読み取られる２つのページの順番の先後を決定するようになっている。
【０１０８】
そして、制御部９は、分割モード（分割ファイルモード）が選択され、且つ、ブックスキャンモードが選択されている場合、第１スキャン処理の実行後且つ第２スキャン処理（第１スキャン処理の次のスキャン処理）の実行指示が入力される前に、図１７に示されるダイアログを表示部７ａに表示させる。図１７に示すダイアログは、第１分割ボタンＤによる第１分割指示の入力、または、第２分割ボタンＣによる第２分割指示の入力を利用者に促すためのものである。
【０１０９】
そして、制御部９は、前記第１分割指示が入力されてから前記第２スキャン処理の実行指示が入力された場合、第２スキャン処理にて得られる全ての画像データ（２ページ分のデータ）と第１スキャン処理にて得られる全ての画像データ（２ページ分のデータ）とが異なるファイルに含まれるようにファイル作成を行う。これに対し、制御部９は、前記第２分割指示が入力されてから前記第２スキャン処理の実行指示が入力された場合、第２スキャン処理にて得られる画像データのうちのページの順番が先のページの画像データと第１スキャン処理にて得られる全ての画像データとが同じファイルに含まれ、第２スキャン処理にて得られる全ての画像データのうちのページの順番が後のページの画像データと第１スキャン処理にて得られる画像データとが互いに異なるファイルに含まれるようにファイル作成処理を行うようになっている。
【０１１０】
このような構成によれば、見開原稿から読み取って得られるデータについても１ページ毎に分割できるため、見開原稿についても無駄なく適切に複数のファイルに分割できるという効果を奏する。
【０１１１】
（変形例４）
また、実施の形態２では、右綴じ（縦書き）および左綴じ（横書き）のいずれであるかを利用者に指定させるようになっていたが、右綴じおよび左綴じのいずれであるかを判定する判定処理を画像処理装置（判定部）４に行わせ、制御部９は当該判定結果に基づいて右綴じまたは左綴じを認識するようになっていてもよい。以下ではこの点について説明する。
【０１１２】
本変形例の画像処理装置４は、入力画像データに基づいて、当該入力画像データに示される原稿の書面が右綴じまたは左綴じのいずれであるかを判定する原稿検知部（不図示）を備える。この原稿検出部は、信号変換部、２値化処理部、解像度変換部、レイアウト解析部より構成される。
【０１１３】
信号変換部は、入力画像データを受け取ると、下記の式ａを用いて、Ｒ（赤），Ｇ（緑），Ｂ（青）の入力画像データを輝度信号に変換するものである。この輝度信号は２値化処理部に送られる。
Ｙｉ＝０．３０Ｒｉ＋０．５９Ｇｉ＋０．１１Ｂｉ      式ａ
Ｙ：各画素の輝度信号（輝度値）
Ｒ，Ｇ，Ｂ：各画素の各色成分の値
ｉ：画素毎に付与される値（ｉは１以上の整数）
２値化処理部は、信号変換部から送られてきた輝度信号に対して２値化処理を行って２値化データを作成する。２値化処理に用いられる閾値は、例えば、画像データが８ビットの場合は１２８に設定される。また、画像データにおいて複数の画素からなるブロック（例えば５×５画素）を設定し、このブロックにおける輝度値の平均値を求め、求めた平均値を当該ブロック内の画素についての閾値としてもよい。
【０１１４】
なお、輝度信号を２値化するのではなく、ＲＧＢの画像データからＬ＊ａ＊ｂ＊値を求め、Ｌ＊値を２値化することによって２値化データを生成してもよい。Ｌ＊値は、ＣＩＥ１９７６Ｌ＊ａ＊ｂ＊表色系（CIE：Commission Internationale de l'Eclairage）における明度を示す値であり、ａ＊値およびｂ＊値は前記Ｌ＊ａ＊ｂ＊表色系における色度を示す値である。また、Ｇ信号の値を２値化して２値化データを生成してもよい。
【０１１５】
解像度変換部は、２値化処理部にて生成された２値化データを低解像度化する。具体的に、解像度変換部は、１２００ｄｐｉないし６００ｄｐｉで読み取られ且つ信号変換部および２値化処理部にて処理された２値化データから、７５ｄｐｉの２値化データを生成する。そして、解像度変換部は、７５ｄｐｉの２値化データをレイアウト解析部に入力する。なお、解像度変換は、公知のニアレストネイバー法、バイリニア法、バイキュービック法等を用いて行われる。
【０１１６】
レイアウト解析部は、入力画像データの画像に示される文字の外接矩形を求め、外接矩形間の距離により、右綴じ（縦書き）および左綴じ（横書き）のいずれであるかを判定するブロックである（図１８を参照）。以下ではレイアウト解析部を説明する。
【０１１７】
レイアウト解析部は、２値化データにおける副走査方向に延伸する最初のラインに含まれる各画素が黒画素であるか否かを画素毎に判断し、黒画素であると判断した画素に所定のラベルを割り付ける。その後、レイアウト解析部は、上記の最初のラインに対して主走査方向に隣接する第２のラインに含まれる各画素が黒画素であるか否かを画素毎に判断し、黒画素であると判断した画素に対し、上記の最初のラインで用いたラベルとは異なるラベルを割り付ける。
【０１１８】
レイアウト解析部は、第２のラインの黒画素のうち、最初のラインの黒画素と連結している画素を検出し、検出した画素のラベルを最初のラインにて用いたラベルと同じラベルに変更する。その後、レイアウト解析部は、上記の処理を主走査方向に並ぶ各ラインについて繰り返し、最初のラインで用いたラベルと同じラベルが付された画素を抽出することにより、文字の抽出を行う。
【０１１９】
そして、レイアウト解析部は、図１８に示すように、抽出した各文字の外接矩形を検出する。なお、各文字および各外接矩形の座標値は、例えば画像データに示される画像の上端かつ左端の位置を原点として算出する。さらに、レイアウト解析部は、隣接する外接矩形間の距離を算出し、得られた外接矩形間の距離に基づいて画像データに示される画像が右綴じ（縦書き）であるか左綴じ（横書き）であるかを判定する。例えば、レイアウト解析部は、画像データに示される画像の縦方向の外接矩形間の距離の平均値が横方向の外接矩形間の距離の平均値よりも大きく、両平均値の差の絶対値が所定値以上の場合、左綴じ（横書き）であると判定する。また、レイアウト解析部は、画像データに示される画像の縦方向の外接矩形間の距離の平均値が横方向の外接矩形間の距離の平均値よりも小さく、両平均値の差の絶対値が所定値以上の場合、右綴じ（縦書き）であると判定する。
【０１２０】
本変形例においては、以上のようにして、入力画像データに基づいて、当該入力画像データに示される原稿が右綴じまたは左綴じのいずれであるかを判定できるのである。
【０１２１】
そして、本変形例では、利用者が操作部７を操作してブックスキャンモードを選択すると、制御部９は図８の処理を開始するようになっている。そして、制御部９は、Ｓ１１にてＹＥＳの後、Ｓ１２にて１枚目の書面を読み取って画像データを生成すると、当該画像データを画像処理装置４に入力し、右綴じまたは左綴じのいずれであるかの判定処理を画像処理装置４に実行させる。
【０１２２】
そして、制御部９は、画像処理装置４に左綴じであると判定された場合、同時に読み取られた２つのページのうち、右側のページのページ番号よりも左側のページのページ番号を小さく認識する。これに対し、制御部９は、画像処理装置４に右綴じであると判定された場合、同時に読み取られた２つのページのうち、左側のページのページ番号よりも右側のページのページ番号を小さく認識する。
【０１２３】
なお、最初のスキャンで読み取られた画像データに基づいて左綴じか右綴じかの判定処理が行われた後、この判定処理の結果は以降にて読み取られる画像データについても援用される。つまり、最初のスキャンの後に前記判定処理が行われ、２回目以降のスキャンの後には、前記判定処理は行われず、最初のスキャンの後に行われた判定結果が援用されるのである。
【０１２４】
また、前記の判定処理が行われると、制御部９は、右綴じか左綴じかを示す判定結果を表示部７ａに表示し、利用者に判定結果の正否の確認を促すようになっていてもよい。判定結果が正しい場合、利用者はＯＫボタンを押すようになっており、ＯＫボタンが押されると、制御部９は判定結果をそのまま援用するようになっている。これに対し、判定結果が正しくない場合、利用者は右綴じまたは左綴じを示す情報を操作部７から入力し、制御部９は利用者から入力された情報に基づいて左綴じか右綴じかを認識するようになっている。
【０１２５】
尚、本実施形態の処理は、１回のスキャン処理で２頁が同時に読み取られるような見開原稿に適用できるものである。このような見開原稿の例としては、以上にて述べた冊子原稿の他、１書面に２頁が示されている割付原稿（２in１原稿，２up原稿）が挙げられる。
【０１２６】
[実施の形態３]
（実施の形態３の概要）
実施の形態３は、図１９に示すように、原稿台に載置される書面の向きの変化を検出し、書面の向き（縦向き、横向き）が変化した箇所を分割位置として認識する形態である。なお、縦向きとは、書面の天地方向が縦方向と一致している状態を意味し、横向きとは、書面の天地方向が横方向と一致している状態を意味する。
【０１２７】
例えば、原稿の長辺方向が天地方向である縦長原稿の場合、図２０の符号１００に示すように長辺方向（天地方向）と縦方向（基準方向）とが一致している場合が縦向きであり、同図の符号１０１に示すように長辺方向（天地方向）と横方向とが一致している場合が横向きである。これに対し、原稿の短辺方向が天地方向である横長原稿の場合、図２０の符号１０３に示すように短辺方向（天地方向）と縦方向とが一致している場合が縦向きであり、同図の符号１０２に示すように短辺方向（天地方向）と横方向とが一致している場合が横向きである。なお、本実施形態において、縦方向とは、原稿台の手前から奥へ向かう方向（主走査方向）と平行な方向を意味し、横方向とは、前記の縦方向に直交する方向を意味する。
【０１２８】
（実施の形態３の詳細説明）
本実施形態では、図３に示す画像入力装置３に、原稿台に載置された原稿の書面の主走査方向および副走査方向のサイズ（長さ）を示す信号を出力する光学センサ（不図示）が設置されている。この光学センサは、フォトトランジスタ等の光電変換素子である。光学センサから出力される信号は、書面の主走査方向および副走査方向のサイズ（長さ）を示すものであるが、これらサイズがわかれば縦向きと横向きとの識別が可能になる。それゆえ、光学センサから出力される信号は、原稿台に載置されている書面の方向を示す信号であるといえる。
【０１２９】
制御部９は、原稿センサから出力される信号に基づき、原稿台に載置されている書面の方向を検出する。そして、制御部９は、原稿台に載置されている書面の方向が直前に行われたスキャン時に原稿台に載置されていた書面の方向と異なる場合、原稿の方向が変化したものとして判定し、原稿台に載置されている書面の方向が直前に行われたスキャン時に原稿台に載置されていた書面の方向と同じである場合、原稿の方向が変化していないと判定する。
【０１３０】
さらに、本実施形態では、制御部９は、図２０に示すように、天地方向を設定するための画面を表示部７ａに表示し、利用者に天地方向を選択させるようになっている。制御部９は、利用者に選択された天地方向を、原稿の書面の天地方向として設定（解釈）する。図２０に示す例では、縦長原稿ボタンおよび横長原稿ボタンが示されている。ここで、縦長原稿ボタンが利用者に選択されると、原稿の書面の長辺方向が天地方向として選択されることになり、制御部９は、原稿の書面の長辺方向を天地方向として解釈するようになっている。これに対し、横長原稿ボタンが利用者に選択されると、原稿の書面の短辺方向が天地方向として選択されることになり、制御部９は、原稿の書面の短辺方向を天地方向として解釈するようになっている。
【０１３１】
また、本実施形態の画像処理装置４には、画像データを回転させる回転処理部が備えられている。ここで、制御部９は、縦向きの状態で原稿台に載置された書面から読み取られた画像については回転処理を行わないが、横向きの状態で原稿台に載置された書面から読み取られた画像については、縦向きの状態になるように、画像処理装置４に回転処理を行わせるようになっている。
【０１３２】
具体的に説明すると、図２０に示す縦長原稿ボタンが利用者に選択されている場合、制御部９は、原稿の書面の長辺方向を天地方向と解釈している。この場合、制御部９は、読取ジョブにて読み取られる画像データのうち、天地方向（長辺方向）と縦方向とが一致している画像データについては回転させず、天地方向（長辺方向）と横方向とが一致している画像データについては、天地方向（長辺方向）と縦方向とが一致するように回転処理を行わせるようになっている。
【０１３３】
また、図２０に示す横長原稿ボタンが利用者に選択されている場合、制御部９は、原稿の書面の短辺方向を天地方向と解釈している。この場合、制御部９は、読取ジョブにて読み取られる画像データのうち、天地方向（短辺方向）と縦方向とが一致している画像データについては回転させず、天地方向（短辺方向）と横方向とが一致している画像データについては、天地方向（短辺方向）と縦方向とが一致するように回転処理を行わせるようになっている。
【０１３４】
つぎに、本実施形態の処理の流れを説明する。本実施形態についても図８のフローチャートを用いて説明可能であるため、以下では図８を参照して説明する。
【０１３５】
利用者が、操作部７を操作することにより、分割モードへの移行指示を入力すると、図８の処理が開始されるようになっている。
【０１３６】
図８に示すＳ１およびＳ２については、実施の形態１と同じであるため、その説明を省略する。
【０１３７】
Ｓ２の後、制御部９は天地方向の設定処理を行う（Ｓ３）。具体的に、制御部９は、図２０に示す設定画面を表示し、図２０の縦長原稿ボタンが利用者に選択されると、原稿の書面の長辺方向を天地方向として設定（解釈）し、図２０に示す横長原稿ボタンが利用者に選択されると、制御部９は、原稿の書面の短辺方向を天地方向として設定（解釈）するようになっている。
【０１３８】
図８に示すＳ４，Ｓ５，Ｓ１１については、実施の形態１と同じであるため、その説明を省略する。
【０１３９】
Ｓ１１において読み取り対象の書面が１ページ目を含むと判定された場合（Ｓ１１にてＹＥＳ）、制御部９は、画像入力装置３に読み取り処理（スキャン動作）を行わせる（Ｓ１２）。
【０１４０】
Ｓ１２の後、制御部９は、原稿の次の書面を原稿台にセットする事とスタートボタンを押す事（読込み指示を入力する事）とを促すメッセージが示されたダイアログを表示部７ａに表示する（Ｓ１３）。本実施形態のＳ１３においては図７に示すダイアログが表示されることになる。
【０１４１】
そして、図７のダイアログが表示されている時に、利用者が、読込終了ボタンを選択せずに（Ｓ１４にてＮＯ）、次に読み取らせる必要のある書面を原稿台にセットして（Ｓ４）、スタートボタンを押すと（Ｓ５）、Ｓ１１の処理が再度行われる。
【０１４２】
ここでは、分割モードへの移行後のスタートボタンが押された回数が２回であるため、制御部９は、Ｓ１１において読み取り対象の書面が１ページ目を含まないと判定し、処理をＳ１５に移行させる。
【０１４３】
そして、Ｓ１５において、制御部９は、分割指示の有無を判定するようになっている。具体的に、制御部９は、原稿センサから出力される信号に基づき、原稿の方向の変化の有無を判定し、原稿の方向が変化していると判定した場合は分割指示有と判定し、原稿の方向が変化していないと判定した場合は分割指示無と判定する。
【０１４４】
より具体的に説明すると、制御部９は、原稿センサから出力される信号に基づき、現時点にて原稿台に載置されている書面の方向と直前のＳ１２の処理時に原稿台に載置されていた書面の方向とが同一か否かを判断する。
【０１４５】
そして、制御部９は、現時点にて原稿台に載置されている書面の方向と直前のＳ１２の処理時に原稿台に載置されていた書面の方向とが同じである場合、原稿の方向が変化していないと判定し、分割指示無と判定する。この場合、制御部９は、処理をＳ１２に移行させる。
【０１４６】
これに対し、制御部９は、現時点にて原稿台に載置されている書面の方向と直前のＳ１２の処理時に原稿台に載置されていた書面の方向とが異なる場合、原稿の方向が変化したと判定し、分割指示有と判定する。そして、分割指示有と判定した場合、制御部９は、この判定の直前のＳ１２のスキャン動作にてスキャンされた書面と、この判定の直後のＳ１２のスキャン動作にてスキャンされる書面との間を分割位置として認定し、この分割位置を記憶部８に記憶させ（Ｓ１６）、処理をＳ１２に移行させる。つまり、本実施形態では、図１９に示すように、前回にスキャンされた書面の方向と今回スキャンされる書面の方向とが異なる場合、前回にスキャンされた書面の画像と今回スキャンされた書面の画像との間を分割位置としているのである。
【０１４７】
その後、Ｓ１２が再度行われる。なお、本実施形態において、制御部９は、縦向きの状態で原稿台に載置された書面から読み取られた画像の画像データについては回転処理を行わずに記憶部８に記憶させるが、横向きの状態で原稿台に載置された書面から読み取られた画像の画像データについては、縦向きの状態の画像になるように画像データに回転処理を行う。なお、図１９に示す例では、３ページの画像データに対して回転処理が施されている。
【０１４８】
その後、Ｓ１３において利用者が図７に示す読込終了ボタンを押すと、制御部９は読取ジョブを終了する。
【０１４９】
以上示したように、本実施形態の複合機１は、原稿台に載置されている書面を読み取るスキャン処理を行うことによって当該書面の画像を示す画像データを生成する原稿載置方式の画像入力装置３を備え、且つ、前記原稿台に載置されている書面の方向を示す信号を出力する光学センサを備える。そして、制御部９は、分割モード（分割ファイルモード）が選択されている場合、前記光学センサの出力に基づいて、第１スキャン処理の対象となる書面の方向と第１スキャン処理の次に行われる第２スキャン処理の対象となる書面の方向とが一致しているか否かを判定する方向判定部として機能する。さらに、制御部９は、第１スキャン処理の対象となる書面の方向と第２スキャン処理の対象となる書面の方向とが一致していると判定した場合、第１スキャン処理にて得られる画像データと第２スキャン処理にて得られる画像データとが同じファイルに含まれ、第１スキャン処理の対象となる書面の方向と第２スキャン処理の対象となる書面の方向とが一致していないと判定した場合、第２スキャン処理にて得られる画像データが第１スキャン処理にて得られる画像データとは異なるファイルに含まれるようにファイル作成処理を行うファイル作成部として機能する。また、制御部９は、図２０に示されるダイアログによる利用者の入力指示に応じて、原稿台の書面の画像の天地方向を設定（解釈）する天地方向設定部としても機能する。そして、制御部９は、設定した天地方向を参照して、天地方向と基準方向（縦方向）とが一致していない画像データに回転処理を施して当該画像データの天地方向を基準方向（縦方向）に一致させている。
【０１５０】
このような構成によれば、原稿台に載置される書面の方向（縦向き、横向き）を変化させることによって分割指示を行えることになる（図１９を参照）。例えば、１ページから２ページまでを縦向きで載置し続け、３ページから６ページを横向きで載置した場合、２ページと３ページとの間で分割して、１ページから２ページまでの画像データと３ページから６ページまでの画像データとを互いに別のファイルに纏めることになる。このような構成によれば、利用者は、書面の向きを変えるという作業だけで分割指示を行えるため、操作パネルやタッチパネルを用いた分割指示の入力が不要であり、利用者にとって利便性が高いというメリットがある。
【０１５１】
また、以上にて示した構成によれば、読み取られた画像データについて、天地方向と基準方向（縦方向）とが一致するように回転処理を施すようになっているため、原稿台に載置される書面の方向を変化させてもデータ化される画像の天地方向については揃えることができる。
【０１５２】
なお、本実施形態の処理は、原稿を１ページづつ読み取らせる読取ジョブに適用できるが、見開原稿を読み取らせるブックスキャンモードには適用できない。
【０１５３】
[実施の形態４]
以下では、図３に示す画像処理装置４の詳細な具体例を説明する。図２１は、図３に示す画像処理装置４の具体例を示すブロック図である。
【０１５４】
図２１に示すように、画像処理装置４は、Ａ／Ｄ（アナログ／デジタル）変換部４０と、シェーディング補正部４１と、入力処理部４２と、領域分離処理部４８と、色補正部４４と、黒生成／下色除去部４５と、空間フィルタ部４６と、中間調生成部４７とを備えている。
【０１５５】
例えば、画像入力装置３にて読み取られた画像の画像データは、画像処理装置４内を、Ａ／Ｄ変換部４０、シェーディング補正部４１、入力処理部４２、色補正部４４、黒生成／下色除去部４５、空間フィルタ部４６、及び中間調生成部４７の順（矢印方法）で送られ、ＣＭＹＫのデジタルカラーデータとして、画像出力装置５へ出力される。なお、入力処理部４２が出力する画像データは、色補正部４４のみならず、領域分離処理部４８にも送られる。
【０１５６】
Ａ／Ｄ変換部４０は、画像入力装置３からのＲＧＢのアナログデータをデジタルデータに変換するものであり、シェーディング補正部４１は、Ａ／Ｄ変換部４０より送られてきたデジタルのＲＧＢデータに対して、画像入力装置３の照明系、結像系、撮像系で生じる各種の歪みを取り除く処理を施す。
【０１５７】
入力処理部４２は、シェーディング補正部４１にて各種の歪みが取り除かれたＲＧＢデータ（ＲＧＢの反射率データ）夫々に対してγ補正を行い、カラーバランスを整えると同時に、濃度データに変換する処理を施す。
【０１５８】
そして、入力処理部４２から出力される画像データは一旦記憶部８に記憶される。その後、印刷モードにおいては、記憶部８の画像データは色補正部４４および領域分離処理部４８に供給され、画像送信処理モードにおいては、記憶部８の画像データは通信部６を介して外部に送信される。
【０１５９】
領域分離処理部４８は、入力処理部４２からのＲＧＢデータより、入力画像データの各画素が文字領域、網点領域、印刷紙写真領域（連続階調領域）等の何れかに属するかを判定する処理を行う。領域分離処理部４８は、判定処理結果に基づき、画素がどの領域に属しているかを示す領域識別データを、黒生成／下色除去部４５、空間フィルタ部４６、及び中間調生成部４７へと出力する。
【０１６０】
色補正部４４は、ＲＧＢの画像データを、ＲＧＢの補色であるＣＭＹ（Ｃ：シアン・Ｍ：マゼンタ・Ｙ：イエロー）の画像データに変換し、色再現性を高めるために、不要吸収成分を含むＣＭＹ色材の分光特性に基づいた色濁りを取り除く処理を行う。
【０１６１】
黒生成／下色除去部４５は、色補正後のＣＭＹの３色データから黒（Ｋ）データを生成する黒生成、元のＣＭＹデータから黒生成で得たＫデータを差し引いて新たなＣＭＹデータを生成する処理を行うことで、ＣＭＹの３色データを、ＣＭＹＫの４色データに変換する。
【０１６２】
空間フィルタ部４６は、黒生成／下色除去部４５より入力されるＣＭＹＫデータの画像データに対して、領域識別データを基にデジタルフィルタによる空間フィルタ処理を行い、空間周波数特性を補正することによって出力画像のぼやけ及び粒状性劣化を防ぐ。
【０１６３】
また、中間調生成部４７は、ＣＭＹＫデータの画像データに対して、領域識別データを基に例えば階調再現処理を施す。該階調再現処理が施されたＣＭＹＫの画像データは画像出力装置５に出力される。
【０１６４】
なお、変形例４に図２１の画像処理装置４を適用する場合、原稿の書面が右綴じまたは左綴じのいずれであるかの判定を行う原稿検知部は、入力処理部４２の後段に備えられ、入力処理部４２から出力される画像データを入力するようになっている。また、実施の形態３に図２１の画像処理装置４を適用する場合、回転処理部は入力処理部４２の後段に備えられるようになっている。
【０１６５】
なお、以上にて述べた各実施形態の制御部９に実行させるためのプログラムをコンピュータ読み取り可能な記録媒体に記録してもよい。この結果、上記処理を行うプログラムコード（実行形式プログラム、中間コードプログラム、ソースプログラム）を記録した記録媒体を持ち運び自在に提供することができる。また、以上の各実施の形態では、この記録媒体として、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１６６】
いずれの場合においても、格納されているプログラムはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。
【０１６７】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、マスクＲＯＭ、ＥＰＲＯＭ（Erasable Programmable Read Only Memory）、ＥＥＰＲＯＭ（Electrically Erasable Programmable Read Only Memory）、フラッシュROM等による半導体メモリを含めた固定的にプログラムコードを担持する媒体であっても良い。
【０１６８】
また、本実施の形態においては、インターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。
【０１６９】
[参考例]
以下では、本発明の実施形態に関連する実施例である参考例を詳細に説明する。
【０１７０】
（参考例１）
参考例１は、スキャン処理を指示するためのスタートボタンが所定時間（例えば３秒）以上押された場合、制御部９は分割指示有と判断する形態である。以下、参考例１を図２２に基づいて説明する。
【０１７１】
利用者が、操作部７を操作することにより、分割モードへの移行指示を入力すると、図２２の処理が開始されるようになっている。
【０１７２】
図２２に示すＳ１〜Ｓ１２，Ｓ１４，Ｓ１６については、各々、実施の形態１のＳ１〜Ｓ１２，Ｓ１４，Ｓ１６と同じであるため、その説明を極力省略する。
【０１７３】
Ｓ１１において読み取り対象の書面が１ページ目を含むと判定された場合（Ｓ１１にてＹＥＳ）、制御部９は、画像入力装置３に読み取り処理（スキャン動作）を行わせ（Ｓ１２）、原稿の次の書面を原稿台にセットする事とスタートボタンを押す事（読込み指示を入力する事）とを促すメッセージが示されたダイアログを表示部７ａに表示する（Ｓ３３）。本実施形態のＳ３３においては図７に示すダイアログが表示されることになる。
【０１７４】
これに対し、Ｓ１１において読み取り対象の書面が１ページ目を含まないと判定された場合（Ｓ１１にてＮＯ）、制御部９はＳ５の押下時間が３秒未満であったか否かを判定する（Ｓ３５）。
【０１７５】
Ｓ５の押下時間が３秒未満であると判定した場合（Ｓ３５にてＹＥＳ）、制御部９は、分割指示無と判断し、処理をＳ１２へ移行させる。
【０１７６】
これに対し、Ｓ５の押下時間が３秒未満でないと判定した場合（Ｓ３５にてＮＯ）、制御部９は分割指示と判断する。そして、この場合、制御部９は、分割指示有と判断した直前のＳ１２にて読み取られた画像と、分割指示有と判断した直後のＳ１２にて読み取られる画像との間を分割位置として認識し、この分割位置を記憶部８に記憶させ（Ｓ１６）、処理をＳ１２へ移行させる。
【０１７７】
Ｓ１２にてスキャン動作が行われた後、図７のダイアログが表示部７ａに表示される（Ｓ３３）。ここで、利用者が、次の書面をセットした上でスタートボタンを押すと（Ｓ１４にてＮＯ，Ｓ４，Ｓ５）、Ｓ５以降の処理が繰り返される。これに対し、Ｓ１３において利用者が図７に示す読込終了ボタンを押すと、制御部９は読取ジョブを終了する。
【０１７８】
なお、参考例１の処理は、１回のスキャンにて１ページのみが読み取られる通常の原稿に適用できるが、１回のスキャンにて２ページが読み取られる見開原稿には適用できない。
【０１７９】
（参考例２）
参考例２は、図４に示す処理の流れによって読取ジョブを行った後（Ｓ８にてＹＥＳの後）、読取ジョブにて読み取られた原稿データのプレビューを表示部７ａに表示させ（図２６参照）、利用者のタッチ動作によってプレビュー上に分割位置を指定するようになっている形態である。
【０１８０】
参考例２では、図４に示す処理手順によって読取ジョブが行われることにより、分割されていない原稿データが読み取られる。この読取ジョブが行われると、図２６に示されるように、前記原稿データに含まれる各頁の画像が頁番号の順に並んでプレビュー表示される。そして、図２６に示すように、分割を所望する位置（ページとページとの間）に利用者がタッチすると、制御部９は当該位置を分割位置として認識する。そして、制御部９は、分割位置を境として、原稿データを複数の分割原稿データに分割する。
【０１８１】
なお、参考例２では、利用者による分割モードへの移行指示のタイミングは、読取ジョブの実行前であってもよいし、読取ジョブの実行後であってもよい。読取ジョブの実行前または読取ジョブの実行後に分割モードへの移行指示が利用者によって入力された場合、読取ジョブ後において図２６に示される画面が表示されるようになっている。
【０１８２】
また、参考例２の処理は、１回のスキャンにて１ページのみが読み取られる通常の原稿のみならず、１回のスキャンにて２ページが読み取られる見開原稿にも適用可能である。
【０１８３】
（参考例３）
参考例３は、セパレータシートを用いて分割位置を指定する形態である。参考例３において、利用者は、ページａと次のページｂとの間を分割位置として指定する場合、ページａをスキャンさせた後、図２３に示されるセパレータシートをスキャンし、その後にページｂを読み取らせる。制御部９は、ページａとセパレータシートとページｂとが順に読み取られたことを検出すると、ページａとページｂとの間を分割位置として認識（解釈）し、この分割位置を記憶部８に記憶させるのである。
【０１８４】
なお、参考例３の処理は、１回のスキャンにて１ページのみが読み取られる通常の原稿に適用できるが、１回のスキャンにて２ページが読み取られる見開原稿には適用できない。
【０１８５】
（参考例４）
参考例４は参考例３の変形例である。参考例４は、セパレータシートを用いて原稿データを複数の分割原稿データに分割する場合に、各分割原稿データの送信先アドレスをセパレータシートに明示する形態である。
【０１８６】
図２４は、本参考例のセパレータシートの全体図である。なお、図２４では省略されているが、セパレータシートの中央に送信先指定を行うための情報が示されており、その内容の例を示したのが図２５（ａ）である。
【０１８７】
本参考例において、利用者は、事前に、分割原稿データ毎に、宛先の指定されたセパレータシートを印刷する必要がある。また、セパレータシートを印刷する際、アドレスが列挙されたアドレス帳を指定し、送信先にチェックを入れる作業を行う必要がある。送信先指定を行うためのセパレータシートを印刷するには、例えば、操作パネルより「セパレータシート印刷」モードに入り、アドレス帳を選択し、指定すべき送信先にチェックを入れた上で印刷指示を行う。例えば、図５に示す画面において、送信先として指定する宛先のチェックマークをＯＮにして印刷することにより、図２５（ａ）の内容の示されたセパレータシートを印刷することができる。
【０１８８】
そして、本参考例では、原稿データを複数の分割原稿データに分割する場合、下記の第１パターン〜第３パターンのいずれかの処理によって分割および宛先指定を行うことが可能である。
【０１８９】
第１パターン
まず、宛先が示されたセパレータシートを分割原稿データ毎に印刷しておく。そして、各分割原稿データの最初のページをスキャンする直前に各分割原稿データの宛先が示されたセパレータシートをスキャンする。例えば、原稿データを第１分割原稿データおよび第２分割原稿データに分割する場合、まず、第１分割原稿データの宛先の示された第１セパレータシートと、第２分割原稿データの宛先の示された第２セパレータシートとを印刷しておく。そして、第１セパレータシートをスキャンした上で第１分割原稿データに対応する各ページをスキャンし、その後、第２セパレータシートをスキャンした上で第２分割原稿データに対応する各ページをスキャンする。
【０１９０】
第２パターン
まず、宛先が示されたセパレータシートを分割原稿データ毎に印刷しておく。そして、各分割原稿データの最後のページをスキャンした直後に各分割原稿データの宛先が示されたセパレータシートをスキャンする。例えば、原稿データを第１分割原稿データおよび第２分割原稿データに分割する場合、まず、第１分割原稿データの宛先の示された第１セパレータシートと、第２分割原稿データの宛先の示された第２セパレータシートとを印刷しておく。そして、第１分割原稿データに対応する各ページをスキャンした上で第１セパレータシートをスキャンし、その後、第２分割原稿データに対応する各ページをスキャンした上で第２セパレータシートをスキャンする。
【０１９１】
第３パターン
分割される各原稿データのうち、最初のページを含む分割原稿データ以外の各原稿データに対するセパレータシートを印刷しておく。そして、最初のページを含む分割原稿データに対する宛先を操作パネルで指定した上で、当該分割原稿データに対応する各ページのスキャンを行う。その後、残りの分割原稿データについてパターン１と同じ処理を行う。例えば、原稿データを第１分割原稿データ、第２分割原稿データ、第３分割原稿データに分割する場合、まず、第２分割原稿データの宛先の示されたセパレータシートｂと、第３分割原稿データの宛先の示されたセパレータシートｃとを印刷しておく。そして、利用者は操作部７を介して第１分割原稿データに対する宛先を入力した上で第１分割原稿データに対応する各ページをスキャンする。その後、セパレータシートｂをスキャンした上で第２分割原稿データに対応する各ページをスキャンし、さらにその後、セパレータシートｃをスキャンした上で第３分割原稿データに対応する各ページをスキャンする。
【０１９２】
また、分割原稿データ毎に宛先指定のチェックボックスを明示するセパレータシートが用いられてもよい。例えば、原稿データを分割原稿データαおよび分割原稿データβの２つに分割する場合、図２５（ｂ）に示すように、分割原稿データαの宛先をチェックするための左側チェック欄２９０と、分割原稿データβの宛先をチェックするための右側チェック欄２９１とが示されたセパレータシートを印刷する。そして、各分割原稿データの最初のページをスキャンする直前にセパレータシートをスキャンする。但し、この場合、送信前にプレビューで画像データと宛先との関係を利用者に提示し、誤りが無いことを確認した上で送信するようになっていることが好ましい。
【０１９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９４】
本発明は、原稿載置方式の画像読取装置、および、当該画像読取装置を備える画像形成装置に利用することができる。
【符号の説明】
【０１９５】
１    複合機（画像読取装置、画像形成装置）
３    画像入力装置
４    画像処理装置（判定部）
６    通信部
７    操作部
７ａ  表示部
８    記憶部
９    制御部（分割準備部、ファイル作成部、判定部、方向判定部、天地方向設定部、表示制御部）
９０    個別指示ボタン
９５    共通指示ボタン
【図１】
2013110602.tif 000003
【図２】
2013110602.tif 000004
【図３】
2013110602.tif 000005
【図４】
2013110602.tif 000006
【図５】
2013110602.tif 000007
【図６】
2013110602.tif 000008
【図７】
2013110602.tif 000009
【図８】
2013110602.tif 000010
【図９】
2013110602.tif 000011
【図１０】
2013110602.tif 000012
【図１１】
2013110602.tif 000013
【図１２】
2013110602.tif 000014
【図１３】
2013110602.tif 000015
【図１４】
2013110602.tif 000016
【図１５】
2013110602.tif 000017
【図１６】
2013110602.tif 000018
【図１７】
2013110602.tif 000019
【図１８】
2013110602.tif 000020
【図１９】
2013110602.tif 000021
【図２０】
2013110602.tif 000022
【図２１】
2013110602.tif 000023
【図２２】
2013110602.tif 000024
【図２３】
2013110602.tif 000025
【図２４】
2013110602.tif 000026
【図２５】
2013110602.tif 000027
【図２６】
2013110602.tif 000028
【図２７】
2013110602.tif 000029
【図２８】
2013110602.tif 000030